(57)【特許請求の範囲】
【請求項１】
第１の縁端及び第２の縁端を有するハニカム体にセメント混合物を塗布する方法において、前記方法が、
前記ハニカム体の前記第１の縁端を第１の支持部材の第１の軸線に対して位置合せする工程、
第２の支持部材を前記ハニカム体の前記第２の縁端に対して位置合せする工程、
前記ハニカム体の位置を前記第１の支持部材及び前記第２の支持部材に対して固定する工程、
前記ハニカム体と、前記ハニカム体に前記セメント混合物を塗布するように構成されたアプリケータとを相対的に回転させることにより、前記アプリケータから前記ハニカム体にセメント混合物を塗布する工程、及び
前記ハニカム体への前記セメント混合物の塗布と同時に前記アプリケータのブレードを前記第１の支持部材の第１の縁面及び前記第２の支持部材の第２の縁面に密接させる工程、
を含み、
前記第２の支持部材は、前記第２の支持部材の第２の軸線が前記第１の軸線と一致しないように、前記第１の支持部材に対して移動することが可能にされている、
ことを特徴とする方法。
【請求項２】
前記第２の支持部材が、前記第２の軸線を中心にして回転し、前記第１の軸線を中心にして章動することを特徴とする請求項１に記載の方法。
【請求項３】
前記第２の支持部材を位置合せする前記工程が、複数の位置合せ部材を前記第２の支持部材に対して径方向に引き寄せて前記ハニカム体の前記第２の縁端に密接させる工程を含むことを特徴とする請求項１に記載の方法。
【請求項４】
第１の縁端及び第２の縁端を有するハニカム体にセメント混合物を塗布するように構成された装置において、前記装置が、
前記ハニカム体に前記セメント混合物を塗布するように構成されたアプリケータ、
第１の軸線を中心にして回転するように構成された第１の支持部材、
第２の軸線を中心にして回転するように構成された第２の支持部材、
前記第２の支持部材を前記第２の軸線を中心に回転するベース構造体であって、前記第２の支持部材を前記第２の軸線を中心に回転するときに、該第２の軸線を中心に回転する、前記第２の軸線に沿って伸びる支持ロッドと、前記第２の軸線を中心にして前記支持ロッドを回転可能に支持し、前記第１の軸線を中心にして前記第２の支持部材の前記第２の軸線を回転させる軸旋回アセンブリとを有する調整装置を備え、前記第２の軸線を前記第１の軸線を中心に回転させることにより、前記第２の軸線が前記第１の軸線に対して配置された第１の方位と前記第２の軸線が前記第１の軸線と一致しない第２の方位との間での、前記第２の支持部材と前記第１の支持部材との間の相対運動を行うベース構造体、及び
前記ベース構造体によって支持され、前記ベース構造体に対して選択的に延出し及び引寄せが行われるように構成された複数の位置合せ部材、
を備え、
前記位置合せ部材が、前記第２の支持部材を前記ハニカム体の前記第２の縁端に対して位置合せするために前記ハニカム体の前記第２の縁端に密接するように構成され、
前記アプリケータはブレードを有し、該ブレードは、前記ハニカム体へ前記セメント混合物が塗布される際に、前記第１の支持部材の第１の縁面及び前記第２の支持部材の第２の縁面に密接される、
ことを特徴とする装置。
【発明の詳細な説明】
【技術分野】
【０００１】
本発明は全般的にはハニカム体製造のための装置に関し、さらに詳しくは、セラミックまたはセラミック形成材料からなるハニカム体への外層の塗布に関する。
【背景技術】
【０００２】
ハニカム体の外周縁面にセメント混合物を施すための既知の方法及び装置はスキン層厚に望ましくない変動を生じさせ得る。
【発明の概要】
【課題を解決するための手段】
【０００３】
一態様において、第１及び第２の縁端を有するハニカム体にセメント混合物を塗布するための方法が提供される。本方法は、第１の支持部材の第１の軸線に対してハニカム体の第１の縁端を位置合せする工程を含む。本方法はさらにハニカム体の第２の縁端に対して第２の支持部材を位置合せする工程を含む。第２の支持部材は、第２の支持部材の第２の軸線が第１の軸線に一致しないように、第１の支持部材に対する移動が可能にされる。本方法はさらに第１の支持部材及び第２の支持部材に対してハニカム体の位置を固定する工程を含む。さらに、本方法はハニカム体にセメント混合物を塗布する工程を含む。
【０００４】
別の態様において、第１の縁端及び第２の縁端をもつハニカム体にセメント混合物を塗布するように構成された装置が提供される。本装置はハニカム体にセメント混合物を塗布するように構成されたアプリケータ及び第１の軸線を中心にして回転するように構成された第１の支持部材を備える。本装置はさらに第２の軸線を中心にして回転するように醸成された第２の支持部材を備える。ベース構造体が第２の支持部材を回転可能な態様で支持するように構成されるように構成される。ベース構造体はさらに、第２の軸線が第１の軸線に対して配置される第１の方位と第２の軸線が第１の軸線に一致しない第２の方位の間での、第２の支持部材と第１の支持部材の間の相対移動を可能にするように構成される。本装置はさらに、ベース構造体によって支持されており、ベース構造体に対して選択的に延び出され、引き寄せられるように構成された、複数の位置合せ部材を備える。位置合せ部材は、ハニカム体の第２の縁端を密接して、ハニカム体の第２の縁端に対して第２の部材を位置合せするように構成される。
【０００５】
上述の全般的説明及び以下の詳細な説明がいずれも、本発明の説明のための実施形態例を提示し、特許請求されるような本発明の本質及び特質の理解のための概要または枠組みの提供が目的とされていることは当然である。添付図面は本発明のさらに深い理解を提供するために含められ、本明細書に組み入れられて本明細書の一部をなす。図面は本発明の様々な実施形態例を示し、記述とともに、本発明の原理及び動作の説明に役立つ。
【０００６】
本発明の上記及びその他の特徴、態様及び利点は、添付図面を参照して以下の本発明の詳細な説明を読んだときに一層良く理解される。
【図面の簡単な説明】
【０００７】
【図１】図１は、本発明の態様にしたがう、装置の上部アセンブリの一例の斜視図である。
【図２】図２は、本発明の態様にしたがう、図１の上部アセンブリを備える装置の一例の簡略な正面図である。
【図３】図３は、第１の支持部材上に配置されたハニカム体を含む、図２の装置例の簡略な正面図である。
【図４】図４は、下部位置合せ機構を含む、図３の装置例及びハニカム体の簡略な正面図である。
【図５−１】図５は、ハニカム体の第１の縁端を第１の支持部材に対して位置合せするために引き寄せられた下部位置合せ機構の位置合せ部材を含む、図４の装置例及びハニカム体の簡略な正面図である。
【図５−２】図５Ａは、図５の線５Ａ-５Ａに沿う、装置例及びハニカム体の簡略な部分断面図である。
【図６−１】図６は、第２の支持部材をハニカム体の第２の縁端に対して位置合せするためにベース構造体に対して引き寄せられた上部アセンブリの位置合せ部材を含む、図５の装置例及びハニカム体の簡略な正面図である。
【図６−２】図６Ａは、図６の線６Ａ-６Ａに沿う、装置例及びハニカム体の簡略な部分断面図である。
【図７】図７は、第１の支持部材と第２の支持部材の間に締め付けられているハニカム体及びハニカム体にセメント混合物を塗布しているアプリケータを含む、図６の装置例の簡略な正面図である。
【図８】図８は、アプリケータがハニカム体にセメント混合物を塗布している間にハニカム体が９０°回転されている、図７の装置例の簡略な正面図である。
【図９】図９は、アプリケータがハニカム体にセメント混合物を塗布している間にハニカム体が１８０°回転されている、図７の装置例の簡略な正面図である。
【発明を実施するための形態】
【０００８】
本発明を、本発明の実施形態例が示されている添付図面を参照して、以降でさらに十分に説明する。しかし、本発明は多くの様々な形態で具現化され得るから、本明細書に述べられる実施形態に本発明が限定されると解されるべきではない。様々な図面を通して同様の参照数字は同様の要素を指す。
【０００９】
図２に示されるように、ハニカム体にセメント混合物を塗布するように構成された装置２００が提供される。装置２００は第１の軸線２２０を中心にして回転するように構成された第１の支持部材２１０を備える。装置２００はさらに上部アセンブリ１００を備える。図１に移れば、本発明の態様にしたがう上部アセンブリ１００の例が示されている。上部アセンブリ１００は第２の軸線１０３を中心にして回転するように構成された第２の支持部材１０２を有することができる。一例において、第１の軸線２２０は第２の軸線１０３と平行とすることができるが、別の例において第１の軸線２２０と第２の軸線１０３は一致させることができる。さらにまた、第１の軸線２２０と第２の軸線１０３は互いに対して角度をなす、すなわち斜交することができる。第２の支持部材は軸１０３を中心にして回転し、同時に軸２２０を中心にして章動する、すなわち軸１０３が軸２２０を中心にして回転することもできる。
【００１０】
図示されるように、第２の支持部材１０２はプレートを有することができるが、第２の支持部材は、ハブ／スポーク構成、格子構造またはその他の構造配置を有することができる。さらに、図示されるように、第２の支持部材１０２は第２の縁面１０４を有することができる。図示される第２の縁面１０４は、第２の支持部材１０２の上面及び下面に対して実質的に垂直に延びる縦厚をもつ縁辺として示される。別の例において、第２の縁面は鋭角または鈍角に仕上げられた先端を有することができる。例えば、第２の縁面は実質的に、先端が鋭角または鈍角に仕上げられた、Ｖ字形とすることができる。別の例において、第２の縁面は、第２の支持部材１０２の上面または下面において外縁が鋭角または鈍角をなす、角度を付けたテーパ面を有することができる。
【００１１】
第２の縁面は広範な形状及び寸法を有することができる。図示される第２の縁面１０４は円形であるが、異なる例において第２の縁面は別の形状を有することができる。例えば、第２の縁面１０４は、長円形、楕円形または、装置２００によってコーティングされているハニカム体の形状に依存し得る、その他の形状を有することができる。ハニカム体３００に接触する、好ましくは第１の支持部材２１０の表面または第２の支持部材１０２の表面は、あるいはさらに好ましくは第１の支持部材２１０の表面及び第２の支持部材１０２の表面のいずれもが、ハニカム体３００のそれぞれの縁端の高さ変動を受容するため、ゴムのような、高ジュロメータ弾性材料を有し、弾性材料は、ハニカム体３００の端面上に存在し得る突起または傾斜による、０.５ｍｍ、好ましくは１０ｍｍの、局所撓みを吸収するに十分な弾性及び厚さを有する層をなして設けられることが好ましい。
【００１２】
上部アセンブリ１００は第２の支持部材１０２を保持するように構成されたベース構造体１１０も有することができる。一例において、ベース構造体１１０は装置２００のフレーム２０２(図２を見よ)に対して調節可能な第２の支持部材１０２の取付けを提供するように構成することができる。例えば、図１に示されるように、ベース構造体１１０は支持ブラケット１１４に調節可能な態様で取り付けられたスイングアーム１１２を有することができる。スイングアーム１１２と支持ブラケット１１４の間の連結は、第２の支持部材１０２が、図示されるｘ軸、ｙ軸及びｚ軸に沿って、平行移動のような、移動を行えるように、支持ブラケット１１４に対する軸旋回及び／または平行移動するスイングアーム１１２の運動を可能にすることができる。
【００１３】
ベース構造体１１０はさらに、ベース構造体１１０に対する第２の軸線１０３を中心にした第２の支持部材１０２の回転を可能にすることができる。例えば、図１に示されるように、ベース構造体１１０は、アダプタ１１６ａ，カプリング１１６ｂ及び、アダプタ１１６ａとカプリング１１６ｂの間を延びるスピンドル柱１１６ｃをもつスピンドル１１６を有することができる。スピンドル１１６はさらに、スピンドル柱１１６ｃとカプリング１１６ｂの間の連結及び切離しを可能にするように構成された圧空急速解放機構を収めることができる、急速解放ハウジング１１６ｄを有することができる。スピンドル柱１１６ｃは、スイングアーム１１２の上方に配置されたアダプタ１１６ａ及びスイングアーム１１２の下方に配置されたカプリング１１６ｂにより、回転可能な態様でスイングアーム１１２に取り付けることができる。スピンドル１１６は、スピンドル１１６を、軸１０３を中心にして回転させ、軸２２０を中心にする章動もさせる、スウェーデン国のSchunk Intec ABにより製造されたＡＧＥ-Ｓモデル追従装置のような、追従装置に取り付けられる。
【００１４】
上部アセンブリ１００は位置合せ部材も有することができる。一例において、位置合せ部材は複数の位置合せ部材を含む。例えば、図示されるように、位置合せ部材は３つの位置合せ部材１５０を含むが、別の例においては２つまたは３つより多くの位置合せ部材が用いられ得る。図示されるように、位置合せ部材１５０はベース構造体１１０で支持することができ、ベース構造体１１０に対して径方向に延び出され、引き寄せられるように構成することができる。別の例において、位置合せ部材１５０はベース構造体１１０に対して垂直方向に上昇及び下降するように構成することができる。位置合せ部材１５０は、ハニカム体３００の第２の縁端３０４に対して第２の支持部材１０２を位置合せするために、ハニカム体３００の外周縁面３０２の第２の縁端３０４に密接するように構成することができる。図示されるように、３つの位置合せ部材１５０が備えられるが、別の例においては任意の数の位置合せ部材を備えることができる。例えば、本発明の態様にしたがって、１つまたは複数の位置合せ部材を備えることができる。
【００１５】
位置合せ部材１５０は広範な形状及び寸法を有することができる。図示されるように、位置合せ部材１５０は相互に実質的に同等であるが、位置合せ部材の内の１つないしさらに多くは相異なる寸法及び／または形状を有することができる。図示されるように、一例において、位置合せ部材１５０のそれぞれはペグ１５６を有することができる。図示されるペグ１５６は水平ペグからなるが、別の例においては別のペグ方位をとることができる。図１及び２に示されるように、それぞれのペグ１５６は、装着工具による位置合せ部材１５０の嵌合を容易にするように構成された、一対の対向するフラット１５７または他の構造を有することができる。
【００１６】
それぞれのペグ１５６の末端はハニカム体３００の外周縁面３０２との垂直方向線接触を与えるために実質的に平坦な面１５２を有することができる。位置合せ部材１５０と外周縁面３０２の間に線接触を与えることにより、ハニカム体３００にかかる側圧支持応力を低減することができる。別の例において、位置合せ部材１５０の面１５２は実質的に平坦ではない面を有することができる。例えば、面１５２は位置合せ部材毎に１つまたは２つの垂直方向接触線を与えるような円筒凹面を有することができる。実際上は、位置合せ部材１５０の円筒凹面の半径がハニカム体３００の外周縁面３０２の第２の縁端３０４の半径より大きければ、垂直方向線接触を面１５２の中央近傍に１本だけ与えることができる。他方で、位置合せ部材１５０の円筒凹面の半径がハニカム体３００の外周縁面３０２の第２の縁端３０４の半径より小さければ、凹面のほぼ対向する縁辺の近傍に２本の側面垂直方向接触線を与えることができる。さらにまた、面１５２は点接触を与えるように球面またはその他の曲面を有することができる。別の例において、位置合せ部材１５０は点あるいは１本ないし２本の線以外のプロファイルに沿ってハニカム体３００の外周縁面３０２に密接するように構成された面を有することができる。例えば、位置合せ部材の内の１つないしさらに多くは、複数の点、３本ないしさらに多くの線、等に沿って外周縁面３０２に密接するように構成することができる。
【００１７】
図６及び６Ａに示されるように、位置合せ部材１５０の面１５２は第２の支持部材１０２の下側で径方向に引き寄せられるように構成される。図５Ａに示されるように、位置合せ部材１５０はそれぞれ、図５Ａに示される位置から図６Ａに示される位置まで、径方向で第２の支持部材１０２の第２の軸線１０３に向かう直線方向１５８に引き寄せられ得る。同様に、位置合せ部材１５０はそれぞれ、図６Ａに示される位置から図５Ａに示される位置まで、径方向で直線方向に沿って逆に第２の軸線１０３から離れるように延び出させることができる。別の例において、位置合せ部材は、径方向で第２の軸線１０３を通過しない直線方向に延出し／引寄せを行わせることができる。また別の例において、位置合せ部材は、曲線路のような、直線ではない、湾曲しているかまたは別の経路に沿って径方向に延出し／引寄せを行わせることができる。
【００１８】
それぞれの位置合せ部材１５０は、対応する位置合せ部材１５０をベース構造体１１０に取り付ける支持アーム１５４を備えることができる。図示されるように、それぞれの支持アーム１５４は相互に同等であるが、別の例において支持アームの内の１つないしさらに多くは相異なる構成を有することができる。それぞれの支持アーム１５４は広範な代替構造を有することができる。図示される例において、それぞれの支持アーム１５４は垂直アーム部１６０を有する。対応する位置合せ部材１５０のねじ込み端を垂直アーム部１６０の端部にねじ込むことができる。ねじ込みプロセス中の位置合せ部材１５０の回転を容易にするために水平フラット１５７に嵌合する工具を用いることができる。
【００１９】
図１に示されるように、垂直アーム部１６０は水平アーム部１６２のキャリッジ１６６によって垂直方向に滑動可能な態様で受け入れられることもできる。キャリッジ１６６は水平アーム部１６２に取り付けられた対応するガイドレールの突縁１７０を受け取るように構成されたガイドレール１６８を有することができる。キャリッジ１６６は水平アーム部１６２に対するキャリッジ１６６の径方向位置の選択的固定を容易にするための保持ブラケット１７２も有することができる。例えば、図示されるように、水平アーム部１６２の垂直フランジは水平アーム部１６２の径方向位置にしたがって配置された複数の開口１６４を有する。図示される止めピンのような、固定部材１６１が、開口１６４の選ばれた１つ及び保持ブラケット１７２の対応する開口を貫通してキャリッジ１６６を水平アーム部１６２に対して所望の径方向位置に選択的に固定するように構成される。したがって例示支持アーム１５４はベース構造体１１０に対する位置合せ部材１５０の最大径方向引寄せ位置を変更するために調節可能とすることができる。
【００２０】
キャリッジ１６６は、図示される垂直方向アクチュエータ１７４のような、軸方向アクチュエータを受け入れるように構成された細長スロット１６５も有することができる。軸方向アクチュエータはベース構造体に対する位置合せ部材の軸方向調節を可能にするように構成される。例えば、図示されるように、軸方向アクチュエータはベース構造体１１０に対して位置合せ部材を軸方向に選択的に上昇及び下降させるように構成された垂直方向アクチュエータ１７４を有することができる。一例において、垂直方向アクチュエータ１７４は締結ブラケット１７８を用いて垂直アーム部１６０に取り付けられたロッド１７６を有する。垂直方向アクチュエータ１７４には位置合せ部材１５０の自動化された上昇及び下降を可能にするための流体アクチュエータを含めることができる。
【００２１】
図１にさらに示されるように、ベース構造体１１０はベース構造体１１０に対する位置合せ部材１５０の延出し及び引寄せを選択的に行うように構成された径方向アクチュエータ１２０を有することができる。図示される径方向アクチュエータ１２０は径方向アクチュエータ１２０の中心部を貫通するスピンドル柱１１６ｃによってスイングアーム１１２に取り付けられる。図示される径方向アクチュエータ１２０はチャックを有するが、別の例では別のアクチュエータを用いることができる。径方向アクチュエータ１２０は位置合せ部材１５０を同時に移動させるように構成することができる。例えば、径方向アクチュエータ１２０はベース構造体１１０に対する位置合せ部材１５０の延出し及び／または引寄せを同時に行わせることができる。別の例において、径方向アクチュエータは延出し及び／または引寄せ中の相異なる時点において位置合せ部材を移動させることができる。径方向アクチュエータ１２０は延出し及び／または引寄せ中に実質的に等しい距離だけ位置合せ部材１５０を移動させることもできる。
【００２２】
図２は、ハニカム体の外周縁面３０２にセメント混合物３１０を塗布する(図７〜９を見よ)ように構成された装置２００の部分の、簡略な部分図を示す。図示されるように、上部アセンブリ１００は支持ブラケット１１４によってフレーム２０２に取り付けられる。装置２００はさらに、ベース２１４及び、第１の軸線２２０を中心にして第１の支持部材２１０を回転させるように構成された、モーター２１６を有する。
【００２３】
第１の支持部材２１０は第２の支持部材１０２と同等とするかまたは異ならせることができる。例えば、第１の支持部材２１０は第２の支持部材１０２の鏡像をとることができる。したがって、第１の支持部材２１０はプレートを有することができるが、第１の支持部材は、ハブ／スポーク構成、格子構造またはその他の構造配置を有することができることは理解されるであろう。さらに、図示されるように、第１の支持部材２１０は第１の縁面２１２を有することができる。図示される第１の縁面２１２は、第１の支持部材２１０の上面及び下面に実質的に垂直に延びる縦厚をもつ辺面として示される。別の例において、第１の縁面は鋭角または鈍角に仕上げられた先端を有することができる。例えば、第１の縁面は実質的に、先端が鋭角または鈍角に仕上げられた、Ｖ字形とすることができる。別の例において、第１の縁面は、第１の支持部材２１０の上面または下面において外縁が鋭角または鈍角をなす、角度を付けたテーパ面を有することができる。
【００２４】
第１の縁面は広範な形状及び寸法を有することができる。図示される第１の縁面２１２は円形であるが、異なる例において第１の縁面は別の形状を有することができる。例えば、第１の縁面２１２は、長円形、楕円形または、装置２００によってコーティングされているハニカム体３００の形状に依存し得る、その他の形状を有することができる。図示される例において、第１の縁面２１２及び第２の縁面１０４は実質的に同等な円形であるが、別の例において縁面は相異なる形状を有することができる。
【００２５】
第１の支持部材２１０及び／または第２の支持部材１０２はハニカム体３００の端部と摩擦作用で結合するように構成された摩擦面を有することもできる。例えば、図２に示されるように、第２の支持部材１０２の下面は摩擦層１０６を有することができる。摩擦層１０６は弾性材料層とすることができるが、他の例においては別の材料を用いることができる。別の例において第１の支持部材２１０の上面に同様の材料層を設け得ることが理解されるであろう。
【００２６】
図５及び６の破断部分に簡略に示されるように、装置２００はさらに、ハニカム体３００の第２の縁端３０４に対して第２の支持部材１０２を位置合せするときに第１の支持部材２１０に対する第２の支持部材１０２の移動を可能にするように構成された、調節装置１３０を備えることができる。例えば、調節装置１３０は第２の支持部材１０２の第２の軸線１０３に沿って延びる垂直支持ロッド１３２を有することができる。垂直支持ロッド１３２は一端でアダプタ１１６ａに、また他端で軸旋回アセンブリ１３６に、取り付けることができる。図６に示されるように、軸旋回アセンブリ１３６は、クランクロッド１３３が第１の軸線２２０を中心にして第２の支持部材１０２の第２の軸線１０３を回転させるときに、第２の軸線１０３を中心にする垂直支持ロッド１０３の回転を可能にするように構成されたベアリング１３４を有することができる。図６及び６Ａに示されるように、第２の支持部材１０２の第２の軸線１０３は第１の軸線２２０からずらされる。
【００２７】
図７〜９に簡略に示されるように、装置２００はさらに、ハニカム体３００の外周縁面３０２にセメント混合物３１０を塗布するように構成されたアプリケータ１４０を備えることができる。アプリケータ１４０は様々な仕方でセメント混合物を塗布するための広範な構成を有することができる。例えば、アプリケータ１４０にはスプレー装置またはその他のセメント混合物装置を含めることができる。図示されるように、アプリケータ１４０は選択的に用いられるブレード１４２及び選択的に用いられるノズル１４４を有することができる。ブレード１４２はハニカム体３００の外周縁面３０２にセメント混合物３１０を塗布する際に第１の縁面２１２と第２の縁面１０４に同時に密接するように構成することができる。さらに、ノズル１４４は、ブレード１４２が第１の縁面２１２と第２の縁面１０４に同時に密接している間に外周縁面３０２にセメント混合物３１０を塗布することができる。図７〜９にさらに示されるように、ブレード１４２は、ハニカム体３００の回転中にブレード１４２が縁面２１２，１０４に接触し続けたままでいるように、ハニカム体３００の第１の軸線２２０を中心にした回転と連動するように構成することができる。
【００２８】
図４及び５に示されるように、装置２００は下部位置合せ機構４００も備えることができる。広範な下部位置合せ機構を備えることができる。例えば、Ｖ字チャックまたは２つの締付部材を備えることができる。図示される例において、下部位置合せ機構４００は複数の位置合せ部材のような位置合せ部材を有することができる。図示されるように、３つの位置合せ部材４５０が備えられるが、別の例においては１つまたは任意の数の位置合せ部材を備えることができる。位置合せ部材４５０はハニカム体３００の第１の縁端３０６に対して第１の支持部材２１０を位置合せするためにハニカム体３００の外周縁面３０２の第１の縁端３０６に密接するように構成される。
【００２９】
図２〜９に、装置２００によってハニカム体３００の外周縁面３０２にセメント混合物３１０を塗布する方法の例が簡略に示される。装置２００は、広範なハニカム体、特にセラミックまたはセラミック形成材料でつくられたハニカム体にセメント混合物を塗布するために用いることができる。ハニカム体はフロースルー基板(例えば触媒支持体)または、(例えば交互に閉塞されたチャネルを有することができる閉塞形ハニカム体からなる)粒子フィルタのような、フィルタに形成することができる。例として、ハニカム体は、コージェライト、チタン酸アルミニウム、ＳｉＣまたはその他のセラミック材料、あるいはこれらの組合せからなることができる。セメント混合物３１０はハニカム体３００の材料と適合する材料を含むことができる。例えば、必須ではないが、セメント混合物３１０はハニカム体３００の材料と実質的に同等な材料からなることができる。
【００３０】
図２に示されるように、径方向アクチュエータ１２０はベース構造体１１０に対して位置合せ部材１５０を径方向に延び出させるために作動させることができる。さらに、垂直方向アクチュエータ１７４はベース構造体１１０に対して位置合せ部材を垂直方向に上昇させるために作動させることができる。ベース構造体１１０に対する位置合せ部材１５０の径方向延出し及び垂直方向上昇により、ハニカム体３００の挿入に対して十分なクリアランスが得られる。
【００３１】
図３に示されるように、第１の支持部材２１０上にハニカム体３００を置くことができる。図示されるように、ハニカム体３００は第１の縁端３０６から軸方向にずれた第２の縁端３０４を有することがあり得る。図示されるように、ハニカム体３００は初め、ハニカム体３００の第１の縁端３０６が第１の支持部材２１０の軸線と位置合せされていないであろう様々な場所で第１の支持部材２１０上に置かれることがあり得よう。図示されるように、第１の支持部材の回転軸は第１の軸線２２０に一致する。
【００３２】
次いで、第１の支持部材３１０に対してハニカム体３００の第１の縁端３０６を位置合せすることができる。例えば、図４に示されるように、下部位置合せ機構４００は延出し位置にある位置合せ部材４５０を備えることができる。図５に示されるように、ハニカム体３００の第１の縁端３０６を第１の支持部材２１０に対して位置合せするために、位置合せ部材４５０を引き寄せることができる。
【００３３】
全ての例に必須ではないが、図５に示されるように、第２の支持部材１０２が第２の縁端３０４に対して位置合せされている間、位置合せ機構４５０は引き寄せられたままでいることができる。
【００３４】
第２の支持部材１０２をハニカム体３００の第２の縁端３０４に対して位置合せするプロセスの一例をここで説明する。図５に示されるように、位置合せ部材１５０をベース構造体１１０に対して垂直方向に下降させるために垂直方向アクチュエータ１７４を作動させることができる。次いで、図６に示されるように、第２の支持部材１０２の下面がハニカム体３００の上面に隣接して配置されるように調節装置１３０の垂直支持ロッド１３２がベース構造体１１０を下降させることができる。次いで、３つの位置合せ部材１５０をベース構造体１１０に対して径方向に引き寄せるために径方向アクチュエータ１２０を作動させることができる。３つの位置合せ部材１５０は引き寄せられて、ハニカム体３００の外周縁面３０２の第２の縁端３０４と周縁で密接することができる。例えば、図５Ａに示されるように、それぞれの位置合せ部材１５０は直線方向１５８に沿って径方向に引き寄せることができる。図６Ａに示されるように、それぞれの位置合せ部材１５０は、それぞれの位置合せ部材１５０の面１５２が外周縁面３０２の第２の縁端に密接するまで、径方向に引き寄せられ得る。
【００３５】
調節装置１３０は、第２の支持部材１０２をハニカム体３００の第２の縁端３０４に対して位置合わせしているときの、第１の支持部材２１０に対する第２の支持部材１０２の移動を可能にするように構成される。すなわち、第２の支持部材１０２をハニカム体３００の第２の縁端３０４に対して位置合わせしているときに、第２の支持部材１０２が第１の支持部材２１０に対して自由に移動できることは理解されるであろう。位置合せ部材１５０がハニカム体３００の外周縁面３０２の第２の縁端３０４に密接してしまうと、第２の支持部材１０２は、第２の支持部材１０２の第２の軸線１０３が第１の軸線２２０との一致からはずれるように、第１の支持部材２１０に対して移動する。
【００３６】
第２の支持部材１０２をハニカム体３００の第２の縁端３０４に対して位置合わせしているときに、第２の支持部材１０２は様々な仕方で移動することができる。例えば、位置合せには、第２の支持部材１０２の軸線１０３と一致しない方向の方向成分を有する移動を含めることができる。例えば、位置合せには、軸線１０３に直交する、第２の支持部材１０２の移動を含めることができる。別の例において、位置合せには軸線に一致する方向の方向成分をもつ移動を含めることが可能である。例えば、位置合せには軸線に対してある角度をなす第２の支持部材１０２の移動を含めることができる。さらにまた、位置合せには完全に軸線と一致する方向にある移動を含めることができる。さらに、別の例において位置合せには移動の組合せを含めることができる。
【００３７】
垂直支持ロッド１３２は次いで第１の支持部材２１０及び第２の支持部材１０２に対してハニカム体３００の位置を固定するためにベース構造体１１０をさらに下降させることができる。固定は支持部材２１０と１０２の間でハニカム体３００を締め付けることによって与えることができる。締め付けられてしまえば、ハニカム体３００の方位は、ハニカム体３００の上面と第２の支持部材１０２の下面の間の摩擦及びハニカム体３００の下面と第１の支持部材２１０の上面の間の摩擦によって固定される。図７に示されるように、固定されてしまえば、ハニカム体３００の外周縁面３０２は第１の支持部材２１０の縁面２１２及び第２の支持部材１０２の縁面１０４に対して奥に下げられる。
【００３８】
図７にさらに示されるように、位置合せ部材１５０，４５０は次いで第２の支持部材１０２及びベース構造体１１０に対して延び出させることができる。位置合せ部材１５０は垂直方向アクチュエータ１７４によって垂直方向に上昇させることもできる。図７に示されるように、位置合せ部材１５０の垂直方向上昇及び位置合せ部材１５０，４５０の径方向延び出しにより、アプリケータの使用が可能になり、同時にアプリケータ１４０からのセメント混合物材料による位置合せ部材１５０の汚染の低減、例えば防止が可能になる。
【００３９】
次いで、図７〜９に示されるように、アプリケータ１４０を用いてハニカム体３００の外周縁面３０２に材料のセメント混合物３１０を塗布することができる。図示されるように、第１の支持部材２１０，第２の支持部材１０２及びハニカム体３００はアプリケータ１４０に対して同じ方向２２１に一緒に回転させることができる。一例において、支持部材２１０，１０２及びハニカム体３００を静止させておいて、アプリケータを回転させるように設計することができる。あるいは、図示されるように、支持部材２１０，１０２及びハニカム体が、第１の軸線２２０を中心にして、アプリケータ１４０に対して回転することができる。図７Ａに示されるように、回転中、第２の支持部材の第２の軸線１０３は第１の軸線２２０を中心にし、方向２２１にしたがって、回転することができる。スイングアーム１１２と支持ブラケット１１４の間の連結により、スイングアーム１１２は回転中、第２の軸線１０３が第１の軸線２２０を中心として回転するにつれてスイングアーム１１２の先端が第２の軸線１０３とともに移動するように、移動することが可能になる。
【００４０】
一例において、アプリケータ１４０は、ハニカム体３００の外周縁面３０２に材料のセメント混合物３１０を塗布しているときに、第２の縁面１０４及び第１の縁面２１２に同時に密接するブレード１４２を有することができる。図７〜９に示されるように、ブレード１４２は、セメント混合物３１０がハニカム体３００の外周縁面３０２に塗布されている間、回転中のブレード１４２と縁面１０４，２１２の間の連続密接を与えるために連動するように構成することができる。図７〜９に示されるように、ハニカム体３００の外周縁面３０２の複数の領域にかけてセメント混合物３１０を実質的に一貫した厚さで塗布できることが理解されるであろう。例えば、セメント混合物３１０を外周縁面３０２の円周領域全体にわたって実質的に一貫した厚さで塗布することができる。別の例において、セメント混合物３１０は外周縁面３０２の第２の縁端３０４から第１の縁端３０６の方向に実質的に変化する厚さを有することができる。また別の例において、外周縁面３０２の実質的に全体にわたってセメント混合物３１０を実質的に一貫した厚さで塗布することができる。
【００４１】
図示されるように、セメント混合物は、ハニカム体３００が実質的に垂直な第１の軸線２２０を中心にして回転している間に、塗布することができる。別の例において、第１の軸線２２０は実質的に水平とすることができ、あるいは垂直方位と水平方位の間のある角度をなして配置することができる。さらに、ハニカム体の位置合せ、固定及び回転は、ハニカム体を延びるチャネルを実質的に垂直方向にして行われるように示される。別の例において、１つないしさらに多くの位置合せ、固定及び／または回転プロセスは、実質的に水平にして、あるいは垂直方位と水平方位の間のある角度をなして、行うことができる。
【００４２】
本発明の精神及び範囲を逸脱することなく本発明に様々な改変及び変形がなされ得ることが当業者には明らかであろう。したがって、本発明の改変及び変形が添付される特許請求の範囲内に入れば、本発明はそのような改変及び変形を包含するとされる。
【符号の説明】
【００４３】
１００    上部アセンブリ
１０２，２１０    支持部材
１０３，２２０    軸線
１０４，２１２    支持体縁面
１１０    ベース構造体
１１２    スイングアーム
１２０    径方向アクチュエータ
１３０    調節装置
１４０    アプリケータ
１４２    ブレード
１４４    ノズル
１５０，４５０    位置合せ部材
１７４    垂直方向アクチュエータ
２００    本発明の装置
３００    ハニカム体
３０２    ハニカム体外周縁面
３０４，３０６    ハニカム体縁端
３１０    セメント混合物
４００    位置合せ機構
【図１】
0005665223.tif 000002
【図２】
0005665223.tif 000003
【図３】
0005665223.tif 000004
【図４】
0005665223.tif 000005
【図５】
0005665223.tif 000006
【図５Ａ】
0005665223.tif 000007
【図６】
0005665223.tif 000008
【図６Ａ】
0005665223.tif 000009
【図７】
0005665223.tif 000010
【図８】
0005665223.tif 000011
【図９】
0005665223.tif 000012